(57)【特許請求の範囲】
【請求項１】
（ａ）少なくとも１つのアンチコピー保護システム識別子を含むデータを第１の装置（１）の中に受信する段階と、
（ｂ）第１の装置がディジタルバス（３）によってデータ記録装置（２）に接続されているか否かを確認する段階と、結果が肯定的であれば、
（ｃ）第１の装置が前記データに含まれる識別子を有するアンチコピー保護システムを実施するモジュール（１３）を含むか否かを確認する段階と、結果が肯定的であれば、
（ｄ）前記データの記録を許可する第１のアクセスモード（ＰＰＶＲ）に従って前記データへのユーザアクセスを与える段階と、
段階（ｂ）又は段階（ｃ）の結果が否定的であれば、
（ｅ）前記データの記録を許可しない第２のアクセスモード（ＰＰＶ）に従って前記データへのユーザアクセスを与える段階とを含むことを特徴とする、
コンテンツを表わすデータを伝送する方法。
【請求項２】
段階（ｃ）の結果が肯定的である場合、
（ｉ）前記アンチコピー保護システムが前記第１の装置を前記記録装置に接続するディジタルバスに特有の保護モードを用いた第１のシステムカテゴリに属するか否かを確認する段階と、結果が肯定的である場合、
（ｊ）前記第１の装置が接続された少なくとも１つの記録装置が同じアンチコピー保護システムを実施するモジュール（２１）を含むか否かを確認する段階とを更に含み、
段階（ｊ）の結果が肯定的である場合又は段階（ｉ）の結果が否定的である場合に段階（ｄ）が実行され、
段階（ｊ）の結果が否定的である場合に段階（ｅ）が実行されることを特徴とする、請求項１記載の方法。
【請求項３】
段階（ｄ）において、データの記録を許可しない第２のアクセスモード（ＰＰＶ）に従って前記データへのユーザアクセスを与えることを更に特徴とする、請求項１又は２記載の方法。
【請求項４】
前記アンチコピー保護システム識別子は、暗号化又は認証によって保護される受信されたデータの一部に含まれることを特徴とする、請求項１乃至３のうちいずれか一項記載の方法。
【請求項５】
前記データは、段階（ｄ）において与えられるアクセスモードをユーザが選択したときに、前記データに含まれる第３のフィールド中で定義される関連状態と共に放送されることを特徴とする、請求項１乃至４のうちいずれか一項記載の方法。
【発明の詳細な説明】
【０００１】
【発明の属する技術分野】
本発明は、オーディオ・ビジュアル・データ等のコンテンツを表わすデータの放送の分野に関する。本発明はまた、特にディジタル・ホーム・ネットワーク環境におけるかかるデータのコピー保護の分野に係る。
【０００２】
【従来の技術】
現在、オーディオ・ビジュアル番組（例えば映画又はスポーツの試合）をいわゆる「ペイ・パー・ビュー（Pay Per View）」（ＰＰＶ）アクセスモードに従って放送することが知られている。このアクセスモードは、指定された金額を支払うことによりユーザが映画又は特定の試合を見ることを可能とするものである。このアクセスモードは、一般的には、予約料を支払うと幾つかの放送番組へのアクセス権が与えられるというユーザ・放送者間の契約に加えて提供される。
【０００３】
番組を受信するために料金を支払ったユーザによってのみ番組が受信されるためには、番組は、通常は、放送データが周知の方法でスクランブルされるいわゆる条件付きアクセスシステムによって保護される。
【０００４】
コンテンツ提供者、例えば映画の製作者は、自分たちのために、特にＰＰＶモードで放送されるデータといった放送データの制限のないコピーが可能でないようにされることを望む。
【０００５】
従って、これまでも、「コピー自由」、「１回（又はＮ回）のコピー許可」、「私的コピー許可」、又は「コピー禁止」の状態が放送データに関連付けられるアンチコピー保護システムが既に提案されている。これらの状態は、保護システム毎にわずかに異なるものでありうる。ＰＰＶモードで放送されるデータは、一般的には「コピー禁止」状態を有し、即ち、アンチコピー保護システムを有する全ての記録装置はかかるデータを記録することを承諾してはならず、又は、少なくとも、データが記録された場合は、続いてデータを再生することが可能であってはならない。
【０００６】
【発明が解決しようとする課題】
本発明は、放送データへの新規なアクセスモードを提供すると共に、データ提供者にとってはこれらのデータのコピーに対する保護の信頼性が等しく高いことを保証することを目的とする。
【０００７】
【課題を解決するための手段】
本発明は、コンテンツを表わすデータを伝送する方法であって、
（ａ）少なくとも１つのアンチコピー保護システム識別子を含むデータを第１の装置の中に受信する段階と、
（ｂ）第１の装置がディジタルバスによってデータ記録装置に接続されているか否かを確認する段階と、結果が肯定的であれば、
（ｃ）第１の装置がデータに含まれる識別子を有するアンチコピー保護システムを実施するモジュールを含むか否かを確認する段階と、結果が肯定的であれば、
（ｄ）データの記録を許可する第１のアクセスモードに従ってデータへのユーザアクセスを与える段階と、
段階（ｂ）又は段階（ｃ）の結果が否定的であれば、
（ｅ）データの記録を許可しない第２のアクセスモードに従ってデータへのユーザアクセスを与える段階とを含むことを特徴とする方法に係る。
【０００８】
第１のアクセスモードは、望ましくは、放送データが、ユーザによって視聴されるのと同時に記録装置によって記録される（しかしユーザはデータが放送されるのと同時にデータを視聴することが強いられるわけではない）「ペイ・パー・ビュー及び記録（Pay Per View and Record）」（ＰＰＶＲ）と称されるモードに対応する。このアクセスモードによれば、ユーザは、記録されたデータに対して自分が望むだけの回数アクセスしうる。更に、このモードは、データを受信する装置がデータ放送者（及び／又はコンテンツ提供者）によって承諾されたアンチコピー保護システムを含む場合にのみ与えられる。コンテンツの提供者とこのコンテンツを表わすデータの放送者は、同一の実体であってもよいが、通常は２つの異なる実体である。放送データに含まれるアンチコピー保護システムの識別子は、データ放送者（可能であればコンテンツ提供者の制御下にある）によって定義されることが望ましい。
【０００９】
従って、データ放送者（及びコンテンツ提供者）は、知っているアンチコピー保護システムの枠組み内で作成されるコピーが、コピーを作成することが支払いによって許可されているユーザによってのみ使用可能であることが保証される。
【００１０】
第２のアクセスモードは、従来のＰＰＶモードに対応することが望ましい。
【００１１】
本発明の特定の実施例によれば、方法は更に、段階（ｃ）の結果が肯定的である場合、（ｉ）アンチコピー保護システムが第１の装置を記録装置に接続するディジタルバスに特有の保護モードを用いた第１のシステムカテゴリに属するか否かを確認する段階と、結果が肯定的である場合、（ｊ）第１の装置が接続された少なくとも１つの記録装置が同じアンチコピー保護システムを実施するモジュールを含むか否かを確認する段階とを更に含み、段階（ｊ）の結果が肯定的である場合又は段階（ｉ）の結果が否定的である場合に段階（ｄ）が実行され、段階（ｊ）の結果が否定的である場合に段階（ｅ）が実行される。
【００１２】
実際には、ホームネットワーク環境のアンチコピー保護システムには２つの主な分類がある。
【００１３】
１つは、ネットワークの機器の各種類のローカルな保護（特定の暗号化の種類、条件付きアクセスシステム等）を、機器を互いに接続する「リンクの保護」（又はバスの保護）と関連付けるシステムである。この種類の方法では、データは機器の内部では平文として利用可能であり得るが、ネットワークの種々の機器を互いに接続するディジタルバス上の平文としては利用可能な場合はない。データは、実際は、バス上で伝送される前に再び暗号化される。
【００１４】
もう一つは、データが、特にネットワークに入る時点からユーザに対して（例えばテレビ画面上のビデオ表示によって）復元される時点まで暗号化／スクランブルされることによって保護されるいわゆる「エンド・ツー・エンド（end-to-end）」保護システムである。従って、データは、機器を互いに接続するディジタルバス上であるか、最終的な復元の時点を除き一般的にはアナログ形式で機器自体の中にあるかを問わず、ユーザに対してはネットワーク上では平文として利用可能であることはない。
【００１５】
第１の装置中で実施されるアンチコピー保護システムが上述の第１のカテゴリに属する場合、本発明の実施例によれば、ディジタルバスによって第１の装置に接続される少なくとも１つの記録装置が同じアンチコピー保護システムを実施しているか否かを確認する手段がある。ユーザに対してＰＰＶＲアクセスモードが与えられるのは、この確認の結果が肯定的である場合のみである。
【００１６】
本発明の望ましい特徴によれば、方法は更に、段階（ｄ）において、データの記録を許可しない第２のアクセスモードに従ってデータへのユーザアクセスを与える。従って、データ受信の際にデータ放送者によって信頼性があると認識されているアンチコピー保護システムを使用する場合、ユーザはＰＰＶＲアクセスモードとＰＰＶアクセスモードのいずれかを選択することができる。
【００１７】
本発明の他の特徴によれば、ユーザにデータを示した後に、データへの第１のアクセスモードに従ってデータを購入するオプションがユーザに与えられる。従って、ユーザは２つの段階で選択を行う。第１の段階では、ユーザはデータを見る及び／又は聴く（オーディオ・ビジュアル・データの場合）ことを選択し、第２の段階では、このデータの表現で満足であれば、後の使用のためにこれらを記録することを選択する。
【００１８】
本発明は更に、以下の特徴のうちの１つ以上を示しうる。
【００１９】
第１のアクセスモードによるデータへのアクセスは、データ中の第１のフィールドに含まれる第１の金額に対応する価格の支払いと引き替えに提供される。
【００２０】
第２のアクセスモードによるデータへのアクセスは、データ中の第２のフィールドに含まれる第２の金額に対応する価格の支払いと引き替えに提供される。
【００２１】
第２の金額は第１の金額よりも少ない。第１の金額及び第２の金額はデータ放送者又はコンテンツ提供者によって決められることが望ましい。
【００２２】
アンチコピー保護システム識別子は、暗号化又は認証によって保護される受信されたデータの一部に含まれる。
【００２３】
データは、段階（ｄ）において与えられるアクセスモードをユーザが選択したときに、データに含まれる第３のフィールド中で定義される関連状態と共に放送される。
【００２４】
尚、本発明は、第１の装置及び少なくとも１つの記録装置がディジタルネットワーク、特にディジタル・ホーム・ネットワークで接続された別個の機器によって実施される場合に適用される。本発明は、データを受信するための第１の装置と記録装置がディジタルバスによって互いに接続されると同時に同一の機器に含まれる場合にも適用される。かかる機器は、例えばデータ記録用のハードディスクを有するディジタルデコーダである。
【００２５】
【発明の実施の形態】
本発明については添付の図面を参照して単に例として与えられる以下の説明を読むことによってよりよく理解されよう。
【００２６】
図１中、例えばＩＥＥＥ１３９４標準に準拠するバスであるディジタルバス３によってディジタルビデオレコーダ２に接続されるディジタルデコーダ１を示す。
【００２７】
ディジタルデコーダ１は、そのアナログ入力１７上に放送コンテンツを受信する。デコーダは、放送番組を受信するための衛星アンテナ又はケーブル網に接続される。コンテンツを表わすデータは、ディジタルデータパケットの形式で符号化されるが、それらの放送中に続いて変調されアナログ形式で伝送される。
【００２８】
デコーダ１は、受信されたアナログデータを復調してディジタルデータパケットを復元するコンテンツ受信モジュール１０を含む。デコーダ１は続いて、これらのデータパケットを、受信されたコンテンツに対してユーザがアクセス権を有することを確認する条件付きアクセスモジュール（ＣＡモジュール）１１へ転送する。この種類のモジュールはそれ自体として周知である。これは例えば、登録商標MediaGuard条件付きアクセスシステム（登録商標MediaGuardはCanal+社の登録商標である）又は登録商標Viaccessシステム（登録商標Viaccessはフランステレコム（France Telecom）社の登録商標である）を実施しうる。
【００２９】
ＣＡモジュール１１は、ユーザが受信されたデータへのアクセス権を有することを確認すると、データパケットをアンチコピー保護モジュール（ＣＰモジュール１３）へ伝送する。このモジュールは、１つ以上のアンチコピー保護システム、特に、登録商標SmartRightシステム（登録商標SmartRightシステムはトムソンマルチメディア（THOMSON multimedia）社の登録商標である）、又は、「５Ｃ」（その詳細については、文献"5C Digital Transmission Content Protection White Paper", Rev. 1.0, 14 July 1998, インターネットアドレスhttp://www.dtcp.com/を参照）の名前でも知られる「ＤＴＣＰ」システム（「ＤＴＣＰ」は「Digital Transmission Content Protection」の頭文字）を実施するものである。
【００３０】
デコーダ１は、デコーダ中で実施されるアンチコピー保護システムのリストが格納されたメモリ１５（ＣＰメモリ）を含む。各アンチコピー保護システムは、固有の参照番号を有し、メモリ１５はデコーダによってサポートされるアンチコピー保護システムの参照番号を含むと想定される。ＣＡモジュール１１は、ＣＰメモリ１５に対して、デコーダ中で実施されるアンチコピー保護システムを突き止めるよう求めうる。
【００３１】
望ましくは、ＣＡモジュール１１とＣＰモジュール１３とＣＰメモリ１５は、例えばスマートカード中に入った１以上の安全なプロセッサの中に含まれる。この場合、デコーダはスマートカードリーダを含み、図１はスマートカードがデコーダに挿入された時に実施される。
【００３２】
ＣＰモジュール１３は、ＣＡモジュール１１から、受信されたコンテンツを表わすデータのパケットを受け取り、実施されるアンチコピー保護システムに従って（例えば暗号化することによって、又は、これらのパケットに含まれる幾つかのメッセージのみを暗号化することによって）これらのパケットを変換し、その後、これらパケットをデコーダのディジタル出力ポート１６を介してバス３を通じて放送するディジタルバスインタフェース１４へ送信する。
【００３３】
デコーダはまた、例えば受信したプログラムの選択のため、又はユーザ用のメッセージを表示しユーザの応答を受信するために、デコーダの種々のアプリケーションとユーザの間の対話を管理するユーザインタフェースモジュール１２を含む。
【００３４】
ディジタルビデオレコーダ２は、従来の記録ユニット２０と、バス３に接続されたディジタルポート２４からデータを受信するディジタルバスインタフェース２２とを含む。ディジタルビデオレコーダ２は、任意に、アンチコピー保護モジュール（ＣＰモジュール）２１と、ビデオレコーダ２中で実施されるアンチコピー保護システムのリストを含むメモリ２３（ＣＰメモリ）とを含む。
【００３５】
ＣＰモジュール２１とＣＰメモリ２３は、任意に設けられるものであり、なぜならば、以下説明するように、アンチコピー保護システムの第１のカテゴリについては、デコーダ１のレベル、即ちディジタルバス３上にデータを送信する前と、ビデオレコーダ２のレベル、即ちデータの記録の前に、データに対して処理を行う必要があり、一方で、いわゆる「エンド・ツー・エンド」保護システムであるアンチコピー保護システムの第２のカテゴリについては、ビデオレコーダ２によってディジタルバスから受信されたデータに対しては処理を行う必要はないためである。
【００３６】
ＣＰモジュール２１及びＣＰメモリ２３がディジタルビデオレコーダ２中にあるとき、以下説明するようにデコーダが「ペイ・パー・ビュー及び記録（Pay Per View and Record）」（ＰＰＶＲ）モードでのデータへのユーザアクセスを提供しうるように、ディジタルデコーダ１によってサポートされるのと共通の少なくとも１つのアンチコピー保護システムがＣＰモジュール２１中で実施されることが必要である。デコーダ１において、また、ビデオレコーダ２において少なくとも１つの共通のアンチコピー保護システムが実施されるとき、ディジタルバスインタフェース２２から受信されるデータは記録ユニット２０へ送信される前にＣＰモジュール２１の中で処理される。例えば、処理は、データの復号化又はデータに含まれる幾つかのメッセージの復号化である。
【００３７】
番組放送者が、ＰＰＶ又はＰＰＶＲモードでコンテンツを提供しようとする場合、番組放送者は、放送データの中に以下の情報：
0004141856.tif 000002
を挿入する。
【００３８】
フィールドPPVR_priceは、ＰＰＶモードでの、即ちユーザがコンテンツを一回だけみることができる場合のコンテンツの価格を示す。フィールドPPVR_priceは、ＰＰＶＲモードでの、即ちユーザが希望回数だけコンテンツをみるためにコンテンツを記録することもできる場合のコンテンツの価格を示す。もちろん、価格PPVR_priceは、一般的には価格PPV_priceよりも高い。
【００３９】
フィールドNumber_CP_systemsは、データ放送者（又はコンテンツ提供者）によって信頼性があると考えられるアンチコピー保護システムの数を示す。この数は、一般的にはゼロとなることはない。信頼性があると考えられる各アンチコピー保護システムについて、フィールドCP_referenceはシステムの参照番号を示す。この番号は、例えば、全ての関連する番組放送者、コンテンツ提供者、デコーダ又はビデオレコーダの製造者、又はアンチコピー保護システムの提供者が同じ参照番号を有するよう信頼のある第三者によって決められるものである。フィールドCP_reference中に示される参照番号は、デコーダ１のＣＰメモリ１５及びビデオレコーダ２のＣＰメモリ２３に格納されるのと同じである。
【００４０】
項目PPVR_DATAは、信頼性があると考えられる各アンチコピー保護システムについて、ＰＰＶＲモードが選択された場合にアンチコピー保護システムに特定的などの状態が送信されたデータに関連付けられねばならないかを定義するフィールドCP_stateを含む。例えば、登録商標SmartRightシステムについて考えると、ＰＰＶＲモードでデータを伝送するために選択される状態は、データのコピーをユーザの家庭のネットワークにおいての私的使用のためだけに許可する「私的コピー」状態である。
【００４１】
望ましくは、項目ＰＰＶＲ＿ｄａｔａは、そのコンテンツを変更するための全ての攻撃に対して、暗号化又は認証によって保護されている。
【００４２】
例えば、放送されたデータが従来の有料テレビジョンの原理に従ってスクランブルされている場合、データをスクランブルするために使用されたキー又は「制御語」ＣＷは、データの中に、一般的に「ＥＣＭ」（「Entitlement Control Message」の頭文字）と示される制御メッセージの中に挿入される。ＥＣＭメッセージ自体は、他のキーＫを用いて暗号化され、このキーＫはデータへアクセスする権利を有するユーザに与えられている。本発明の望ましい実施例では、項目PPVR_dataはデータに含まれるＥＣＭメッセージに挿入される。従って、これはスクランブルキーＣＷと同様の信頼性で保護される。
【００４３】
他の実施例では、伝送されるデータは、ＭＰＥＧ２標準によって定義されるフォーマットであり、ＤＶＢ標準に従って放送され、この場合、ＤＶＢ＿ＳＩ（ETSI EN 300 468）標準においてより詳細に定義されるイベント記述子の中に、項目PPVR_dataが入れられる。
【００４４】
ここで、デコーダによって受信されたデータがＰＰＶＲモードでユーザに提供されうるかを決定するためにディジタルデコーダのＣＡモジュール１１において実施される処理についてより詳細に説明する。これについて図２を参照する。
【００４５】
図２に示すステップは、デコーダ１のＣＡモジュール１１が上述のような項目PPVR_dataを含むデータを受信するときに実施される。
【００４６】
開始ステップ１００の後、ＣＡモジュールは、ステップ１０１において、ディジタルバスへアクセスするためのポートがデコーダに設けられている否かを確認する。デコーダが、出力ポート１６等のディジタルバスのアクセス用のポートを有する場合、ＣＡモジュールはステップ１０２へ進む。そうでなければ、ステップ１０６へ進む。
【００４７】
ステップ１０２において、ＣＡモジュールは、データ放送者によって信頼性があると考えられるアンチコピー保護システムのうちの少なくとも１つがデコーダによってサポートされているか否かを確認する。即ち、項目PPVR_dataの値CP_referenceのうちの少なくとも１つがＣＰメモリ１５に入っているリストに含まれるか否かを確認する。項目PPVR_dataの値CP_referenceとＣＰメモリのリストの間で共通な少なくとも１つの値を見つけると、ＣＡモジュールはステップ１０３へ進み、見つけられない場合はステップ１０６へ進む。
【００４８】
ステップ１０３において、デコーダ及びコンテンツ放送者によってサポートされるアンチコピー保護システムが機器を一緒に接続する「バスの保護」システムのカテゴリに属するかどうかを確認する。上述したように、アンチコピー保護システムには２つの主なカテゴリがある。一つは、既に引用したＤＴＣＰシステムといった機器を一緒に接続する「リンクの保護」（又は「バスの保護」）を確実とするシステムであり、もう一つは、データがディジタルネットワークへ入る時点からユーザによって復元される時点まで保護される、例えば上述の登録商標SmartRightシステムといったいわゆる「エンド・ツー・エンド」保護システムである。
【００４９】
各アンチコピー保護システムが属するカテゴリは、望ましくは、デコーダ１のＣＰメモリ１５の中にシステムの参照番号と共に格納される。
【００５０】
ステップ１０３が否定的な結果であれば（システムが「エンド・ツー・エンド保護」タイプである）、ステップ１０５へ進む。
【００５１】
一方、ステップ１０３が肯定的な結果であれば（システムが「バスの保護」タイプである）、保護が最後まで確実とされるためには、受信されたデータを記録することが可能な記録装置がデコーダ１と同じアンチコピー保護システムを実施するモジュールを同様に有することが必要である。
【００５２】
このために、ステップ１０４へ進み、ＣＡモジュールはディジタルバスインタフェース１４に対して、バス上で利用可能な記録装置とそれらがサポートするアンチコピー保護システムのリストをＣＡモジュールへ送信するよう要求する。リストされた各記録装置について、少なくとも１つの保護システムがデコーダの保護システム（又は保護システムのうちの１つ）に対応するかどうかを確認する。対応する少なくとも１つの記録装置を見つけると、ステップ１０５に進み、見つからない場合はステップ１０６へ進む。
【００５３】
ステップ１０６において、ＣＡモジュールは、受信したコンテンツをＰＰＶモードではPPV_priceに入っている値に対応する価格で提供するようユーザインタフェース１２に対して要求する。
【００５４】
ステップ１０５において、ＣＡモジュールは、受信したコンテンツをＰＰＶモードではPPV_priceに入っている値に対応する価格で、又は、ＰＰＶＲモードではPPVR_priceに入っている値に対応する価格のいずれかで提供するようユーザインタフェース１２に対して要求する。
【００５５】
ユーザインタフェース１２は、続いて、ユーザの応答をこれを確認するＣＡモジュール１１へ戻す。ユーザがＰＰＶモードを選択していれば、ＣＡモジュールは、ＣＰモジュール１３に対して、データに「コピー禁止」状態を関連付けることによって保護された方法でデータを放送するよう要求する。
【００５６】
ユーザがＰＰＶＲモードを選択していれば、ＣＡモジュール１１は、バス上で利用可能であり記録に適した（即ちステップ１０４のテストが行われたときに、ＣＡモジュール１１はデコーダのアンチコピー保護システムに対応するアンチコピー保護システムを有する装置のみを提供する）全ての記録装置をリストし、ユーザインタフェースに対してこのリストを表示するよう要求する。ユーザの選択を受信した後、ＣＡモジュールは、選択されたアンチコピー保護システムに従って保護された方法（ステップ１０２で決定されたデコーダ又はステップ１０４においてユーザによって選択されたデコーダ及び記録装置に共通な方法）で、フィールドCP_stateに定義される関連状態と共にデータを放送するようＣＰモジュール１３に対して要求する。
【００５７】
ＣＰモジュールは、次に、ユーザが放送データを記録するようユーザによって選択された記録装置へ要求を送るようディジタルバスインタフェース１４に要求する。
【００５８】
本発明の変形例では、コンテンツ視聴決定をコンテンツ記録決定とは同期させないための手段が設けられうる。特に、ＰＰＶＲモードがユーザに提供されるために必要とされる全ての条件が満足される場合、ステップ１０５において、ユーザが価格PPV_priceの支払いに対するコンテンツを視聴し、視聴が終わったときに追加のPPVR_price-PPV_priceの支払いと引き替えにコンテンツを記録用に購入する可能性があるという提案を与えることが可能である。ユーザは、このように、コンテンツを視聴した後にコンテンツを記録するためのより高い価格を支払うことを決定しうる。
【００５９】
特定的な実施例では、ディジタルデコーダは、ディジタルデータの記録を可能とするハードディスクを含むと想定される。その場合、デコーダの内部のディジタルバスはハードディスク（図１のディジタルビデオレコーダに対応する）をインタフェース１４に接続するために設けられると考えられる。図２のステップ１０５では、ユーザインタフェース１２は、ユーザが価格PPV_priceの支払いのためにコンテンツを見るという提案を与える。ユーザがこの与えられた提案に同意する場合、データは上述のような保護された方法で放送され、同時にコンテンツの放送者に特有のフォーマットでハードディスク上に記録される。この放送が完了すると、ユーザインタフェースは、ユーザに対して、差額PPVR_price-PPV_priceに対応する金額を支払うことによりユーザが望む回数だけコンテンツを視聴しうるようになるようコンテンツを購入することを提案する。ユーザが同意すれば、ディジタルデコーダのＣＰモジュールは、ハードディスク上に記録されたコンテンツを、フィールドCP_stateで定義された関連状態と共に以前に選択されたコピー保護システムによって保護されるよう、変更する。
【図面の簡単な説明】
【図１】本発明が実施されるシステムを表わす図である。
【図２】本発明の実施例を示すフローチャートである。
【符号の説明】
１００    開始段階
１０１    ディジタルバス確認段階
１０２    ＣＰシステム確認段階
１０３    「バス保護」カテゴリ確認段階
１０４    記録装置及び対応ＣＰシステム確認段階
１０５    ＰＰＶ及びＰＰＶＲ提供要求段階
１０６    ＰＰＶ提供要求段階
【図１】
0004141856.tif 000003
【図２】
0004141856.tif 000004